(57)【要約】      （修正有）【課題】空気調和機に備えられたフィルタ清掃用の埃集積部の取り付け作業をより容易に行うことのできる空気調和機を提供する。【解決手段】空気調和機は、室内側熱交換器を有する本体部（例えば、室内機１）と、本体部に対して開閉可能に取り付けられている表面パネル（例えば、前面パネル１１）と、外部から取り込まれた空気が通過するフィルタ（例えば、フィルタ２１）と、表面パネルの背後に配置され、フィルタ上に付着した埃を集積する埃集積部（例えば、ダストボックス）とを備えている。この空気調和機において、埃集積部は、本体部に固定させるためのロック機構を有している。そして、表面パネルを閉める動作時に、ロック機構はロック状態となり、埃集積部は本体部に対して固定される。【選択図】図４
2018025330.tif 000002
【特許請求の範囲】
【請求項１】
室内側熱交換器を有する本体部と、
前記本体部に対して開閉可能に取り付けられている表面パネルと、
外部から取り込まれた空気が通過するフィルタと、
前記表面パネルの背後に配置され、前記フィルタ上に付着した埃を集積する埃集積部と
を備えている空気調和機であって、
前記埃集積部は、前記本体部に固定させるためのロック機構を有しており、
前記表面パネルを閉める動作時に、前記ロック機構はロック状態となる、空気調和機。
【請求項２】
前記表面パネルを開ける動作時に、前記ロック機構はロック解除状態となる、請求項１に記載の空気調和機。
【請求項３】
前記ロック機構は、前記ロック状態のときに、前記本体部に係止される係止部を有しており、
前記表面パネルが閉状態のときに、前記表面パネルが前記係止部を押すことで、前記係止部は前記本体部に係止されている、請求項１または２に記載の空気調和機。
【請求項４】
前記ロック機構が前記ロック状態のときに、前記係止部は、前記埃集積部から上方へ突出しており、
前記ロック機構が前記ロック状態からロック解除状態へ移行するときに、前記係止部は下方へ移動する、請求項３に記載の空気調和機。
【請求項５】
前記ロック機構は、
前記ロック状態のときに、前記本体部に係止される係止部と、
前記表面パネルからの押圧力を前記係止部に伝達する伝達部材と
を有しており、
前記表面パネルを閉める動作時に、前記表面パネルは前記伝達部材を押す、
請求項１または２に記載の空気調和機。
【発明の詳細な説明】
【技術分野】
【０００１】
本発明は、フィルタを自動で清掃するためのフィルタ清掃機能を備えている空気調和機に関する。
【背景技術】
【０００２】
空気調和機には、室内機の空気吸入口に、吸い込む空気に含まれている埃を除去するためのフィルタが備えられている。従来の空気調和機においては、フィルタに付着した埃の清掃は、手動によって行われていた。すなわち、人手によりフィルタを室内機から外して、手動でフィルタを清掃する必要があった。
【０００３】
しかし、室内機の設置箇所によってはフィルタを外す作業が困難であり、特に室内機が高所に設置されている場合には、フィルタの清掃は非常に手間のかかる作業である。そのため、昨今の空気調和機には、フィルタを外すことなく、装置内で自動的にフィルタを清掃する機能を備えているものもある。
【０００４】
また、このような自動でのフィルタ清掃機能を有している空気調和機において、さらなる作業性の向上を目的として、特許文献１には、ユーザが清掃ユニットから塵埃回収箱（ダストボックス）を容易に取り外すことのできる空気調和機が提案されている。
【０００５】
特許文献１に開示された空気調和機に備えらえた清掃ユニットには、フィルタが移動するフィルタレールを有する支持体と、支持体に着脱自在に取り付けられた塵埃回収箱組立とが備えられている。塵埃回収箱組立は、塵埃掻き取り部と、塵埃回収箱とを有し、空気調和機の前面部に左右方向に取り付けられる。そして、塵埃掻き取り部は、左右方向の一端に支持体の取り付け穴に係合する軸を有するとともに、左右方向の他端に支持体の固定穴に係合し、バネにより左右方向に進退可能なストッパーを有し、ストッパーの先端の支持体側の面に、支持体の当接部に当接する面取り部が形成され、ストッパーが支持体側に押されることにより面取り部が支持体の当接部に当接してバネが縮み、ストッパーが内側に移動し、その後支持体の固定穴に係合するという構成を有している。
【先行技術文献】
【特許文献】
【０００６】
【特許文献１】特開２０１０−１９７０１４号公報
【発明の概要】
【発明が解決しようとする課題】
【０００７】
しかしながら、特許文献１に記載されているような空気調和機において、ユーザが支持体から塵埃回収箱組立を取り外すためには、ユーザは、固定穴に指を挿入するなどしてストッパーをバネの弾性力に抗してバネ側に移動させた状態で、塵埃回収箱組立を手前に引く必要がある。
【０００８】
また、特許文献１に記載の空気調和機において、ユーザが支持体に塵埃回収箱組立を取り付ける際には、塵埃回収箱組立の塵埃掻き取り部の端部から横方向に突出している円筒形状の軸を、支持体の取り付け穴に差し込む。次に、ユーザは、支持体の取り付け穴に差し込まれた軸を支点にして、塵埃掻き取り部のストッパー側端部を支持体側に押すという操作が必要となる。さらにその後、ユーザは、前面パネルを閉じるという動作を行う。
【０００９】
このように、従来の空気調和機において清掃ユニットの塵埃回収箱を取り付けたり取り外したりする作業を行う際には、依然として、両手で比較的煩雑な作業を行う必要がある。一般に、空気調和機の室内機は、比較的高所に設置されている。そのため、両手を必要とした作業は、作業性および安全性などの面から、できるだけ避けることが望ましい。
【００１０】
そこで、本発明では、空気調和機に備えられたフィルタ清掃用の埃集積部の取り付け作業をより容易に行うことのできる空気調和機を提供することを目的とする。
【課題を解決するための手段】
【００１１】
本発明の一局面にかかる空気調和機は、室内側熱交換器を有する本体部と、前記本体部に対して開閉可能に取り付けられている表面パネルと、外部から取り込まれた空気が通過するフィルタと、前記表面パネルの背後に配置され、前記フィルタ上に付着した埃を集積する埃集積部とを備えている。この空気調和機において、前記埃集積部は、前記本体部に固定させるためのロック機構を有しており、前記表面パネルを閉める動作時に、前記ロック機構はロック状態となる。
【００１２】
上記の本発明にかかる空気調和機においては、前記表面パネルを開ける動作時に、前記ロック機構がロック解除状態となってもよい。
【００１３】
上記の本発明にかかる空気調和機において、前記ロック機構は、前記ロック状態のときに、前記本体部に係止される係止部を有していてもよい。そして、前記表面パネルが閉状態のときに、前記表面パネルが前記係止部を押すことで、前記係止部は前記本体部に係止されていてもよい。ここで、表面パネルが係止部を押すとは、表面パネルが直接的に係止部を押すこと、および、表面パネルが間接的に係止部を押すことの両方を意味する。
【００１４】
上記の本発明にかかる空気調和機において、前記ロック機構が前記ロック状態のときに、前記係止部は、前記埃集積部から上方へ突出しており、前記ロック機構が前記ロック状態からロック解除状態へ移行するときに、前記係止部は下方へ移動してもよい。
【００１５】
上記の本発明にかかる空気調和機において、前記ロック機構は、前記ロック状態のときに、前記本体部に係止される係止部と、前記表面パネルからの押圧力を前記係止部に伝達する伝達部材とを有していてもよい。そして、前記表面パネルを閉める動作時に、前記表面パネルは前記伝達部材を押してもよい。
【発明の効果】
【００１６】
以上のように、本発明にかかる空気調和機では、表面パネルを閉める動作時に、表面パネルの背後に配置された埃集積部のロック機構がロック状態となる。すなわち、表面パネルを閉める動作時に、ロック機構は、本体部に対して固定（係止）される。したがって、埃集積部を本体部に対して固定させるための動作を、表面パネルを閉める動作と兼ねることができる。これにより、埃集積部の取り付け作業をより容易に行うことのできる空気調和機を提供することができる。
【図面の簡単な説明】
【００１７】
【図１】本発明の一実施形態にかかる空気調和機の室内機の外観を示す斜視図である。
【図２】図１に示す室内機の前面パネルを開けた状態を示す斜視図である。
【図３】図１に示す室内機のＡ−Ａ線部分の構成を示す断面図である。
【図４】図２に示す室内機のＢ−Ｂ線部分の構成を示す断面図である。
【図５】図１に示す室内機に備えられたフィルタ及びフィルタ清掃装置を示す斜視図である。
【図６】（ａ）は、図５に示すフィルタ清掃装置において、ダストボックスの一つを取り外した状態を示す斜視図である。なお、この図は、ロック機構がＯＦＦ状態（解除状態）の場合を示す。（ｂ）は、（ａ）に示すダストボックスの破線円内の部分を拡大して示す斜視図である。
【図７】（ａ）は、図５に示すフィルタ清掃装置において、ダストボックスのロック機構がＯＮ状態（固定状態）の場合を示す。（ｂ）は、（ａ）に示すダストボックスの破線円内の部分を拡大して示す斜視図である。
【図８】（ａ）は、図５に示すフィルタ清掃装置において、ダストボックスのロック機構の内部構成を示す正面図である。（ｂ）は、（ａ）の破線枠の部分を拡大して示す正面図である。なお、これらの図では、ダストボックスのロック機構がＯＦＦ状態の場合を示す。
【図９】（ａ）は、図５に示すフィルタ清掃装置において、ダストボックスのロック機構の内部構成を示す正面図である。（ｂ）は、（ａ）の破線枠の部分を拡大して示す正面図である。なお、これらの図では、ダストボックスのロック機構がＯＮ状態の場合を示す。
【図１０】本発明の第２の実施形態にかかる空気調和機の室内機に備えられたダストボックスおよび前面パネルを示す斜視図である。
【図１１】図１０に示すダストボックスのロック機構がＯＮ状態（固定状態）となる前の状態を示す斜視図である。この図は、表面パネルの突起部が、ロック機構のロック部材を押す直前の状態を示す。
【図１２】図１０に示すダストボックスのロック機構がＯＮ状態（固定状態）となった状態を示す斜視図である。この図は、表面パネルの突起部が、ロック機構のロック部材を押している状態を示す。
【図１３】図１１に示すダストボックスのＣ−Ｃ線部分の構成を示す断面図である。
【図１４】図１２に示すダストボックスのＤ−Ｄ線部分の構成を示す断面図である。
【図１５】本発明の第３の実施形態にかかる空気調和機に備えられたフィルタ清掃装置のロック機構の模式的な構成を示す斜視図である。
【図１６】（ａ）および（ｂ）は、図１５に示すロック機構がＯＦＦ状態（解除状態）からＯＮ状態（固定状態）に切り替わるときの動作を示す模式図である。
【発明を実施するための形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
〔第１の実施形態〕
第１の実施形態では、フィルタを自動で清掃するためのフィルタ清掃機能（フィルタ清掃装置とも呼ぶ）を内蔵している空気調和機を例に挙げて説明する。図１は、本実施の形態に係る空気調和機の室内機１の外観構成を示す。図２は、室内機１の前面パネル（表面パネル）１１を開けた状態を示す。図３および図４は、室内機１の内部構成を示す。
【００２０】
＜空気調和機の全体構成＞
先ず、本実施の形態にかかる空気調和機の全体構成について説明する。本実施の形態にかかる空気調和機は、セパレート式の空気調和機であって、主として、室内機（本体部）１と室外機（図示せず）とから構成されている。
【００２１】
室外機には、圧縮機、室外側熱交換器、四方弁、室外ファンなどが備えられている。これらと室内機１側に備えられた室内側熱交換器３１とによって冷凍サイクルが形成される。
【００２２】
次に、室内機１の構成について、図１から図４を参照しながら説明する。図１に示すように、室内機１は、略直方体状の形状を有しており、通常、部屋の壁の上部に掛けられて使用される。上述したように、室内機１内には室内側熱交換器３１が備えられている。この室内側熱交換器３１は、冷媒配管（図示せず）を介して室外機側の圧縮機などと接続されている。これにより、この室内機１と室外機とは、冷凍サイクルを構成し、その結果、空気調和機として機能する。なお、冷凍サイクルを制御する制御部は、室内機１内の電装品ユニットに設けられる。
【００２３】
図１および図２に示すように、室内機１は、主として、筐体１０、フィルタ清掃装置２０、フィルタ２１、空気調和ユニット３０（図３など参照）には、および電装品ユニット（図示せず）を備えている。以下、これらの各構成部材についてそれぞれ詳述する。
【００２４】
筐体１０は、略直方体状の樹脂成形品である。図１に示すように、筐体１０は、主として、前面パネル（表面パネル）１１、本体パネル１２、および背面パネル１３で構成されている。図３に示すように、筐体１０の内部には、フィルタ清掃装置２０、フィルタ２１、空気調和ユニット３０、および電装品ユニットなどが収容されている。
【００２５】
なお、説明の便宜上、前面パネル１１が配置されている側を室内機１の前面側とし、背面パネル１３が配置されている側を室内機１の背面側とする。そして、室内機１の前面側から背面側、または背面側から前面側へ向かう方向のことを、前後方向という。また、室内機１の通常の設置状態において、上方から下方または下方から上方へ向かう方向のことを、上下方向または鉛直方向という。また、これら前後方向および上下方向に交差または直交する方向のことを、水平方向または左右方向という。
【００２６】
筐体１０の上面には、吸込み口１４が設けられている。この吸込み口１４から、室内機１が設置されている室内の空気が室内機１内に取り込まれる。そして、図３に示すように、この吸込み口１４の真下には、フィルタ２１が配置されている。
【００２７】
前面パネル１１は、筐体１０の前面（正面）に位置する。前面パネル１１は、本体パネル１２に対して開閉可能に取り付けられている。図４には、前面パネル１１が開いている状態を示す。前面パネル１１の裏面には、突起部１７が複数個設けられている。後述するように、突起部１７は、前面パネル１１が閉じられた状態のときに、ロック機構６０のロックピン６２を本体部（本実施形態では、フィルタ支持体２５の何れかの壁部）側へ押し出すための部材である。突起部１７は、フィルタ清掃装置２０のダストボックス２２（２２Ｒ・２２Ｌ）に設けられた回動レバー５３と対応する位置に配置されている。
【００２８】
また、本体パネル１２の下部には、吸込み口から吸いこんだ空気を送出する吹出口が設けられており、吹出口にフラップ１５が開閉可能に設けられている。フラップ１５には、駆動モータ（図示せず）が連結されている。駆動モータは、信号線を介して電装品ユニットに通信接続されており、空気調和機の運転中、電装品ユニット内の制御部からの制御信号に従ってフラップ１５の回動角度を調節する。
【００２９】
例えば、冷房運転時には、電装品ユニット内の制御部はフラップ１５を開け、フラップ１５が冷風を斜め上方向に導き、冷風が天井に沿って吹き出すように、フラップ１５の回動角度を調節する。暖房運転時には、電装品ユニット内の制御部はフラップ１５を開け、フラップ１５が前方に向かって吹き出される温風を押さえ込み、温風を床面方向に導くように、フラップ１５の回動角度を調節する。なお、冷房運転の初期時には、冷風が床面方向に吹き出されるようにフラップ１５の回動角度を調節し、急速冷房を行ってもよい。また、フラップ１５は、運転停止時には閉状態となって、吹出口を閉じる。
【００３０】
空気調和ユニット３０は、図３に示すように、主として、室内側熱交換器３１、およびクロスフローファン３２を備えている。
【００３１】
室内側熱交換器３１は、複数の熱交換器を、クロスフローファン３２を覆う屋根のように組み合わせたものである。なお、各熱交換器は、左右両端で複数回折り返された伝熱管（図示せず）に多数の放熱フィン（図示せず）が取り付けられたものであって、冷房運転時には蒸発器として機能し、暖房運転時には凝縮器として機能する。
【００３２】
クロスフローファン３２は、駆動モータ（図示せず）に連結されている。そして、クロスフローファン３２は、空気調和機の運転中、その駆動モータによって回転駆動され、室内の空気を筐体１０に吸い込んで室内側熱交換器３１に供給すると共に、室内側熱交換器３１で熱交換された空気を室内に送出する。なお、駆動モータは、信号線を介して電装品ユニットに通信接続されており、電装品ユニット内の制御部から送信される制御信号に従って動作する。
【００３３】
電装品ユニットは、例えば、筐体１０内の右側端部に配置される。電装品ユニットは、中央処理演算部（制御部）、信号送受信部などで構成されている。電装品ユニットは、信号線を介して、冷凍サイクルの各構成部材と接続されている。そして、電装ユニット内の制御部は、使用者の指示、および室温や外気温を検出する温度センサ等の各種のセンサの検出信号に基づいて、冷凍サイクルを制御し、冷房運転および暖房運転を行う。
【００３４】
また、電装品ユニットは、信号線を介して、クロスフローファン３２の駆動モータ、フラップ１５の駆動モータ、フィルタ清掃装置２０の駆動モータ、フィルタ清掃装置２０内の各部材の電源部などとも接続されている。
【００３５】
フィルタ２１は、吸込み口１４と室内側熱交換器３１との間に設けられている。説明の便宜上、吸込み口１４と対向しているフィルタ２１の面を表面とし、室内側熱交換器３１と対向しているフィルタ２１の面をフィルタの裏面とする。図３に示すように、フィルタ２１は、筐体１０に設けられた吸込み口１４の形状に沿うように配置されている。フィルタ２１は、吸込み口１４から室内機１の内部に取り込まれる空気に含まれる埃や塵を捕捉する。これにより、室内機１の内部に取り込まれる空気中の埃や塵の量を減らすことができる。
【００３６】
本実施形態にかかる室内機１には、２つのフィルタ２１が、左右に並んで配置されている（図５参照）。右側および左側のフィルタをそれぞれ区別して説明する場合には、前面側から見て左側のフィルタを２１Ｌとし、右側のフィルタを２１Ｒとする。なお、本発明の空気調和機におけるフィルタの個数及び配置は、これに限定はされない。例えば、吸込み口１４の全領域をカバーするような１枚のフィルタで構成してもよい。
【００３７】
フィルタ清掃装置２０は、フィルタ２１上に付着した埃や塵などを除去する装置である。フィルタ清掃装置２０には、矩形の板状を有するフィルタ２１が、フィルタ清掃装置２０の形状に沿うように取り付けられている。フィルタ清掃装置２０には、フィルタ２１上に付着した埃、塵、ゴミなどを収容するダストボックス（埃集積部）２２が備えられている。ダストボックス２２は、各フィルタ２１に対してそれぞれ設けられている。すなわち、本実施形態の室内機１には、右側のフィルタ２１Ｒと左側のフィルタ２１Ｌのそれぞれに対して、ダストボックス２２が１個ずつ設けられている。なお、左右のダストボックスを区別して称する場合には、右側ダストボックスを２２Ｒとし、左側ダストボックスを２２Ｌと呼ぶ（図５参照）。
【００３８】
＜フィルタ清掃装置について＞
続いて、室内機１に備えられているフィルタ２１およびフィルタ清掃装置２０のより具体的な構成について、図５などを参照しながら説明する。
【００３９】
図５に示すように、フィルタ清掃装置２０は、主として、フィルタ２１の前面側に配置されている。空気調和機が空調運転を行っている状態では、図３および図５に示すように、フィルタ２１は、その前方側の端部部分のみがフィルタ清掃装置２０と重なるような位置関係で配置されている。そして、フィルタ清掃装置２０によってフィルタ２１の清掃が行われる際には、フィルタ２１は駆動モータ２４Ｍによって駆動されて移動し、フィルタ２１の表面全体がフィルタ清掃装置２０のブラシ付きローラ２３上を通過するように構成されている。
【００４０】
フィルタ２１は、メッシュ部４１と、メッシュ部４１の周囲を取り囲む枠体４２とで構成されている。フィルタ２１は、後述するフィルタ支持体２５に着脱可能に支持されている。
【００４１】
メッシュ部４１は、例えば、ポリエチレンテレフタレートで形成され、枠体４２は、例えば、ポリプロピレン樹脂などの構成樹脂で形成される。またあるいは、メッシュ部４１と枠体４２とは、ポリプロピレン樹脂等の合成樹脂により一体的に成形されてもよい。
【００４２】
また、枠体４２は、複数のリブ４３を有している。各リブ４３は、枠体４２の内部を縦または横に略等間隔に延びており、これにより、メッシュ部４１の表面は碁盤目状に区画される。この構成により、フィルタ２１の強度が高まる。
【００４３】
リブ４３は、フィルタ２１の裏面側に配置されることが好ましい。これにより、メッシュ部４１の表面を、略面一とすることができる。フィルタ２１の表面が略面一であることによって、フィルタ２１の表面に付着した埃や塵などを、フィルタ清掃装置２０によってより容易に取り除くことができる。
【００４４】
また、一例では、枠体４２の縦方向（移動方向に平行な方向）の枠部分の裏面側に、複数のラックが形成されていてもよい。このようなラックは、フィルタ２１の移動を駆動するフィルタ駆動ローラ２４の端部に設けられたピニオンギアと噛み合う。そして、駆動モータ２４Ｍがピニオンギアを回転駆動すると、これに連動して、フィルタ２１がフィルタ支持体２５のガイド２５ａ（図３参照）に沿って移動する。すなわち、駆動モータ２４Ｍによってフィルタ駆動ローラ２４が回転駆動されると、フィルタ２１がフィルタ支持体２５のガイド２５ａに沿って、室内機１内を前後方向に移動するとともに、室内機１内を上下方向に移動する。
【００４５】
フィルタ清掃装置２０は、主な構成部材として、ダストボックス２２、ブラシ付きローラ２３、フィルタ駆動ローラ２４、およびフィルタ支持体２５を備えている。本実施形態では、フィルタ清掃装置２０は、フィルタ２１の左右方向（水平方向）に沿って、フィルタ２１の一端部から他端部に延びるように配置されている（図５参照）。
【００４６】
ダストボックス２２は、主な構成部材として、本体部５１、前面カバー５２、およびロック機構６０などを備えている。ダストボックス２２は、ブラシ付きローラ２３によってフィルタ２１表面から拭き取られた埃、塵、ゴミなどを、その内部に集積させる。
【００４７】
本体部５１は、概略的には、直方体状の箱型形状を有する部材である。本体部５１は、例えば、剛性を有する合成樹脂（プラスチック）で形成される。図６などに示すように、本体部５１の下端部の左右方向の略中央には、凹み５１ａが形成されている。凹み５１ａは、ダストボックス収容部２９の底面板５４に形成された切欠き５４ａに対応する位置に形成されている。この凹み５１ａは、使用者がダストボックス２２をフィルタ支持体２５から取り外す際などに、把持部として機能する。本体部５１の背面側には、本体部５１の箱型部の開口部分に沿って、ブラシ付きローラ２３が配置されている。これにより、ブラシ付きローラ２３によって掻き取られたフィルタ２１表面の埃などが、本体部５１の箱型部内に落とされるような構成となる。
【００４８】
前面カバー５２は、ダストボックス２２の前面側の上方部に取り付けられている。前面カバー５２の裏側には、ロック機構６０が配置されている。
【００４９】
ロック機構６０は、ダストボックス２２を室内機１に対して固定させるための機構である。本実施形態では、ロック機構６０は、フィルタ支持体２５に対してダストボックス２２を固定させる。フィルタ支持体２５は、室内機１内に固定した状態で取り付けられている。但し、本発明の他の態様においては、ロック機構６０は、室内機１に対してダストボックス２２を直接固定させてもよい。ロック機構６０は、回動レバー（伝達部材）５３などを有している。ロック機構６０のより具体的な構成については、後述する。
【００５０】
ブラシ付きローラ２３は、細長い円筒形状を有している。ブラシ付きローラ２３は、ダストボックス２２の左右方向（水平方向）に沿って、各ダストボックス２２（２２Ｒおよび２２Ｌ）の一端部から他端部に延びるように配置されている。
【００５１】
ブラシ付きローラ２３は、その先端（または表面）がフィルタ２１の表面と接触するように配置され、フィルタ２１上に付着した埃や塵を掻き取る。ブラシ付きローラ２３の円筒状の表面には、略全体にわたってブラシが設けられている。ブラシは、例えば、適度な剛性を有する繊維（例えば、ナイロンなどの合成繊維、動物毛などの天然繊維）を複数本束ねて得られるブラシ毛）、パイル状に起毛させた繊維（例えば、ナイロンなどの合成繊維、動物毛などの天然繊維）などで形成することができる。
【００５２】
また、ブラシ付きローラ２３は、内部に回転軸を有する回転ローラである。ブラシ付きローラ２３は、駆動モータ２３Ｍによって駆動される。駆動モータ２３Ｍは、正転のみ可能なモータであって、清掃運転中、ブラシ付きローラ２３を回転させ続ける。
【００５３】
フィルタ駆動ローラ２４は、フィルタ２１を間に挟んで、ブラシ付きローラ２３と対向する位置に配置されている（図３参照）。フィルタ駆動ローラ２４は、細長い円柱形状を有している。フィルタ駆動ローラ２４は、フィルタ２１の左右方向（水平方向）に沿って、フィルタ２１の一端部から他端部に延びるように配置されている。
【００５４】
また、フィルタ駆動ローラ２４は、内部に回転軸を有する。フィルタ駆動ローラ２４は、駆動モータ２４Ｍによって駆動され、回転する。フィルタ駆動ローラ２４は、フィルタ清掃時に、フィルタ２１の移動動作を駆動する。フィルタ駆動ローラ２４は、長手方向の両端部に、ピニオンギアを有している。このピニオンギアは、フィルタ２１の枠体４２に設けられたラックと噛み合う。そして、駆動モータ２４Ｍによってフィルタ駆動ローラ２４が回転駆動されると、ピニオンギアの回転に合わせてラックが上下および前後方向に送られ、フィルタ２１が上下および前後に移動する。なお、フィルタ駆動ローラ２４には、ブラシ付きローラ２３と同様に、その表面全体にブラシが設けられていてもよい。
【００５５】
駆動モータ２４Ｍは、正転・逆転切り換え可能なモータであって、上述の通り、フィルタ駆動ローラ２４を回転させることによって、フィルタ２１をフィルタ支持体２５のガイド２５ａに沿って移動させる。なお、具体的には、駆動モータ２４Ｍが正転されると、フィルタ２１は、ガイド２５ａに沿って前方および下方に移動する。その結果、フィルタ２１上に堆積している塵埃が下から順にブラシ付きローラ２３によってダストボックス２２の本体部５１内に掻き落とされる。一方、駆動モータ２４Ｍが逆転されると、フィルタ２１は、ガイド２５ａに沿って後方および上方に移動する。その結果、清掃済みのフィルタ２１が規定の位置に戻される。
【００５６】
フィルタ支持体２５は、フィルタ２１を支持している。フィルタ支持体２５には、フィルタ清掃時に、フィルタ２１の移動を案内するガイド２５ａが備えられている。ガイド２５ａは、駆動モータ２４Ｍによってフィルタ２１を移動させる際において、フィルタ２１を規定の方向に沿って移動させるために形成されている。
【００５７】
また、フィルタ支持体２５は、右側壁部２６、中央壁部２７、および左側壁部２８を有している。
【００５８】
右側壁部２６は、フィルタ支持体２５の右側縁部において前後方向に延びる側壁である。この右側壁部２６の左側すなわち内側には、ガイド２５ａが配置されている。また、図５に示すように、右側壁部２６には、駆動モータ２３Ｍ、右側のフィルタ２１Ｒの移動を駆動する駆動モータ２４Ｍ、およびその他のフィルタ清掃装置駆動用の部材を搭載した駆動ユニット５０が設けられている。さらに、右側壁部２６には、ダストボックス２２Ｒのロック機構６０のロック部材（係止部）６１Ｒ（より具体的には、ロックピン６２）を受け入れ可能な孔（図示せず）が形成されている。
【００５９】
左側壁部２８は、フィルタ支持体２５の左側縁部において前後方向に延びる側壁である。この左側壁部２８の右側すなわち内側には、ガイド２５ａが配置されている。また、図示はしていないが、左側壁部２８には、左側のフィルタ２１Ｌの移動を駆動する駆動モータ２４Ｍ、およびその他のフィルタ駆動用の部材を搭載した駆動ユニットが設けられている。なお、左側のダストボックス２２Ｌに配置されるブラシ付きローラ２３の回転は、右側壁部２６に設けられた駆動ユニット５０内の駆動モータ２３Ｍによって駆動することができる。この場合、駆動モータ２３Ｍの回転力は、右側のダストボックス２２Ｒに配置されるブラシ付きローラ２３から、駆動ギアを介して、左側のダストボックス２２Ｌに配置されるブラシ付きローラ２３に伝達される。またあるいは、左側のダストボックス２２Ｌに配置されるブラシ付きローラ２３の回転は、左側壁部２８に設けられた駆動ユニット５０内の駆動モータ（図示せず）によって駆動されてもよい。さらに、左側壁部２８には、ダストボックス２２Ｌのロック機構６０のロック部材（係止部）６１Ｌ（より具体的には、ロックピン６２）を受け入れ可能な孔（図示せず）が形成されている。
【００６０】
中央壁部２７は、フィルタ支持体２５の左右方向の略中央部において前後方向に延びる壁部である。そして、この中央壁部２７の両側には、ガイド２５ａがそれぞれ配置されている。なお、これらのガイド２５ａは、左側壁部２８のガイド２５ａおよび右側壁部２６のガイド２５ａと同一の形状を呈している。そして、左側の案内部は左側壁部２８のガイド２５ａと互いに対向し、右側のガイド２５ａは右側壁部２６のガイド２５ａと互いに対向している。すなわち、２つのフィルタ２１Ｒ・２１Ｌのうち一方（２１Ｌ）は中央壁部２７の左側のガイド２５ａと左側壁部２８のガイド２５ａとによって案内され、他方（２１Ｒ）は中央壁部２７の右側のガイド２５ａと右側壁部２６のガイド２５ａとによって案内されることになる。さらに、中央壁部２７の左右両側の側面には、ダストボックス２２Ｒおよびダストボックス２２Ｌのロック機構６０のロック部材（係止部）６１Ｌ・６１Ｒ（より具体的には、ロックピン６２）をそれぞれ受け入れ可能な孔６９が形成されている。
【００６１】
また、フィルタ支持体２５には、その前面側の下部に、ダストボックス２２を載置するためのダストボックス収容部２９が設けられている。ダストボックス収容部２９は、右側壁部２６と中央壁部２７との間、および、左側壁部２８と中央壁部２７との間にそれぞれ設けられている。右側壁部２６と中央壁部２７との間のダストボックス収容部２９には、ダストボックス２２Ｒが載置され、左側壁部２８と中央壁部２７との間のダストボックス収容部２９には、ダストボックス２２Ｌが載置される。
【００６２】
図５に示すように、ダストボックス収容部２９は、底面板５４を有している。そして、底面板５４には、切欠き５４ａおよび複数の爪部５４ｂが形成されている。底面板５４は、ダストボックス２２の底部を支持する。
【００６３】
切欠き５４ａは、各ダストボックス２２Ｒ・２２Ｌが載置された場合に、各ダストボックス２２Ｒ・２２Ｌの左右方向の中央部に相当する位置にそれぞれ形成されている。このような切欠き５４ａが形成されていることで、ダストボックス２２がダストボックス収容部２９に装着されたときに、ダストボックス２２の底面の一部を下方から見て露出させた状態とすることができる。
【００６４】
爪部５４ｂは、底面板５４の上面から上方に僅かに突起する矩形の突起部分である。爪部５４ｂは、各切欠き５４ａの両脇に配設されている。なお、爪部５４ｂが設けられていることで、ダストボックス２２を保持し、落下等を抑えることができる。
【００６５】
＜ダストボックスおよびロック機構の構成＞
続いて、ダストボックス２２のより具体的な構成、および、ダストボックス２２をフィルタ支持体２５に対して固定するためのロック機構６０の構成について、図５から図９を参照しながら説明する。
【００６６】
上述したように、ダストボックス２２は、主な構成部材として、本体部５１、前面カバー５２、およびロック機構６０などを備えている。図６（ａ）および図７（ａ）には、ダストボックス２２単体の構成を示す。
【００６７】
具体的には、図６（ａ）には、ロックが解除されているロック解除状態（すなわち、ダストボックス２２をフィルタ支持体２５から取り外すときの状態）のときのロック機構６０を示す。また、図７（ａ）には、ダストボックス２２が室内機１（より具体的には、フィルタ支持体２５）に対して支持固定されている固定状態のときのロック機構６０を示す。ここでは、前記固定状態のことを、ロック機構６０がＯＮ状態（ロック状態）であると称し、前記解除状態のことをロック機構６０がＯＦＦ状態であると称する。また、図６（ｂ）には、図６（ａ）に示すロック機構６０の右側のロック部材６１Ｒのロックピン６２部分を拡大して示す。また、図７（ｂ）には、図７（ａ）に示すロック機構６０の右側のロック部材６１Ｒのロックピン６２部分を拡大して示す。
【００６８】
図８（ａ）および図９（ａ）には、前面カバー５２を取り外した状態の本体部５１の構成を示す。図８（ａ）は、ＯＦＦ状態のときのロック機構６０を示す。図９（ａ）は、ＯＮ状態のときのロック機構６０を示す。また、図８（ｂ）は、図８（ａ）に示すロック機構６０の右側のロック部材６１Ｒ部分を拡大して示す。図９（ｂ）は、図９（ａ）に示すロック機構６０の右側のロック部材６１Ｒ部分を拡大して示す。
【００６９】
ロック機構６０は、ダストボックス２２を構成する本体部５１の上方部分であって、前面カバー５２の背面側に配置されている。ロック機構６０は、主な構成部材として、回動レバー（伝達部材）５３、ロック部材（係止部）６１Ｒ・６１Ｌ、およびコイルバネ６６などを備えている。
【００７０】
回動レバー５３は、ロック機構６０の長手方向（左右方向）の中央部に位置する。回動レバー５３は、例えば、矢印Ａ１方向に回動する（図８（ａ）参照）。回動レバー５３は、回動部５３ａ、右側シャフト部５４Ｒ、および左側シャフト部５４Ｌなどを有している。
【００７１】
回動部５３ａは、前面パネル１１に設けられた突起部１７によって押圧される部分である。回動部５３ａは、板状部材の一端を折り曲げて形成され、その断面が略「Ｌ」字形状を有している。図６（ａ）に示すように、ロック機構６０がＯＦＦ状態のとき、回動部５３ａは、手前側（前面側）に倒れた状態となっている。そして、前面パネル１１を閉める動作時に、回動部５３ａは前面パネル１１の突起部１７によって押圧される。すると、回動部５３ａは矢印Ａ１方向に回動し、図７（ａ）に示すように、回動部５３ａは、その主たる板状部分が上下方向に略直立した状態となる。
【００７２】
右側シャフト部５４Ｒおよび左側シャフト部５４Ｌは、回動レバー５３の回動軸を構成する。図８（ａ）に示すように、右側シャフト部５４Ｒは、室内機１の正面側から見て回動部５３ａの右側に位置し、左側シャフト部５４Ｌは、室内機１の正面側から見て回動部５３ａの左側に位置する。右側シャフト部５４Ｒおよび左側シャフト部５４Ｌの先端部には、突起５５がそれぞれ形成されている。右側シャフト部５４Ｒは、突起５５を介して右側のロック部材６１Ｒと連結されている。左側シャフト部５４Ｌは、突起５５を介して右側のロック部材６１Ｌと連結されている。
【００７３】
ロック部材６１Ｒ・６１Ｌは、回動レバー５３の回動動作に連動して、水平方向（例えば、図８（ｂ）の矢印Ａ３方向）に移動する。ロック部材６１Ｒ・６１Ｌが水平方向に移動することにより、ダストボックス２２が室内機１（より具体的には、フィルタ支持体２５）に対して支持固定されている固定状態（ロック状態）と、該固定状態が解除されている解除状態（ロック解除状態）とが切り替わる。
【００７４】
図８（ｂ）に示すように、ロック部材６１Ｒは、ロックピン６２、本体シャフト６３、および連結部６４などを有している。ロック部材６１Ｌは、ロック部材６１Ｒと左右対称の構成を有している。
【００７５】
ロックピン６２は、ロック機構６０の左右両側の端部に位置する。ダストボックス２２がフィルタ支持体２５に対して支持固定されている状態では、ロックピン６２は、フィルタ支持体２５の各壁部２６・２７・２８の何れかの孔（例えば、孔６９）に挿入されている。
【００７６】
連結部６４は、ロック機構６０の中央側（回動レバー５３側）の端部に位置する。ロック部材６１Ｒの連結部６４は、回動レバー５３の右側シャフト部５４Ｒとの連結部分を構成する。ロック部材６１Ｌの連結部６４は、回動レバー５３の左側シャフト部５４Ｌとの連結部分を構成する。より具体的には、連結部６４は、枠部６４ａと枠部６４ａの上方に形成された傾斜面６４ｂとを有している。右側ロック部材６１Ｒの傾斜面６４ｂは、右側端部に向かって下方に傾斜している。一方、左側ロック部材６１Ｌの傾斜面６４ｂは、左側端部に向かって下方に傾斜している。
【００７７】
図８（ａ）および（ｂ）に示すように、右側シャフト部５４Ｒの先端の突起５５は、右側ロック部材６１Ｒの連結部６４の枠部６４ａ内に嵌まり込んでいる。また。右側シャフト部５４Ｒの先端の突起５５は、左側ロック部材６１Ｌの連結部６４の枠部６４ａ内に嵌まり込んでいる。そして、図８（ａ）から図９（ｂ）に示すように、回動レバー５３の回動動作に連動して、左右両端部の突起５５は、右側ロック部材６１Ｒおよびロック部材６１Ｌの各枠部６４ａ内の傾斜面６４ｂを滑るようにして、各枠部６４ａ内における相対的な位置を変える。これにより、右側ロック部材６１Ｒおよび左側ロック部材６１Ｌは、左右方向（矢印Ａ３方向または矢印Ｂ１方向）に移動する。
【００７８】
本体シャフト６３は、連結部６４とロックピン６２との間に位置する。本体シャフト６３は、円筒形状を有している。なお、シャフトの形状は円筒形状に限定する必要はなく、角筒形状であってもよいし、その他の形状であってもよい。そして、本体シャフト６３の内部空間６３ａには、コイルバネ６６およびロックピン６２が収容されている。
【００７９】
コイルバネ６６は、その一方の端部が本体シャフト６３の連結部６４側の端部と接続されており、他方の端部がロックピン６２の端部と接続されている。コイルバネ６６は、ロックピン６２を内側に向かって付勢している。そのため、突起部１７によって回動レバー５３が押圧されていない状態（すなわち、前面パネル１１を開けている状態）では、各ロック部材６１Ｒ・６１Ｌのロックピン６２に対しては、コイルバネ６６から内側へ向かう力（例えば、図９（ｂ）の矢印Ｂ１方向の力）が働く。したがって、各ロックピン６２は、図８（ａ）（ｂ）に示す状態となり、各壁部２６・２７・２８の何れかの孔（例えば、孔６９）との係合が外れる。
【００８０】
＜ロック機構の動作＞
続いて、ダストボックス２２の取り付けおよび取り外しを行う際のロック機構６０の動作について、図６（ａ）から図９（ｂ）を参照しながら説明する。
【００８１】
図６（ａ）および図８（ａ）は、ロック機構６０がＯＦＦ状態の場合を示す。回動レバー５３に対して力が加えられていない状態では、コイルバネ６６の付勢力によってロック機構６０はＯＦＦ状態となっている。すなわち、ダストボックス２２が室内機１から取り外されている状態、あるいは、ダストボックス２２をダストボックス収容部２９に載置し、前面パネル１１を開けている状態では、ロック機構６０はＯＦＦ状態となっている。
【００８２】
そして、使用者が、ダストボックス２２を室内機１に対して取り付けるときには、使用者は、前面パネル１１を開状態とし（図４参照）、ダストボックス収容部２９の所定の位置にダストボックス２２を載置する。このとき、使用者は、例えば、親指が本体部５１の凹み５１ａを把持し、人差し指および中指が回動レバー５３の回動部５３ａを把持しながら、ダストボックス収容部２９の所定の位置にダストボックス２２をはめ込むように載置する。この時使用者は、意図せずにダストボックス２２の本体部５１の底面に形成された窪み（図示せず）が、ダストボックス収容部２９の底面板５４に設けられた爪部５４ｂに合致するように、ダストボックス２２の取り付けを行うことができる。
【００８３】
使用者は、左右両側のダストボックス２２Ｒ・２２Ｌを室内機１内の所定の位置に載置した後、図４の矢印に示すように、前面パネル１１を閉める動作を行う。このとき、前面パネル１１の裏面に設けられた突起部１７は、ダストボックス２２側の対応する位置に設けられた回動レバー５３の回動部５３ａを押し、回動部５３ａを上方へ回動させる（図８の矢印Ａ１参照）。
【００８４】
回動部５３ａが矢印Ａ１方向へ回動すると、図８（ｂ）に示すように、右側シャフト部５４Ｒの先端の突起５５は、右側シャフト部５４Ｒの回動に連動して矢印Ａ２方向に動く。左側シャフト部５４Ｌの先端の突起５５も同様に動く。
【００８５】
この突起５５の動作に連動して、突起５５を介して係合している右側ロック部材６１Ｒの枠部６４ａは、突起５５に対する相対位置を変更する。すなわち、突起５５は、右側ロック部材６１Ｒの連結部６４に形成された傾斜面６４ｂを滑るようにして、枠部６４ａ内の上方側へ移動する。これにより、右側ロック部材６１Ｒは、矢印Ａ３方向へ水平移動する。左側ロック部材６１Ｌも同様にして、ダストボックス２２の外側へ水平移動する。そして、右側ロック部材６１Ｒおよび左側ロック部材６１Ｌのロックピン６２は、各壁部２６・２７・２８の何れかの孔（例えば、孔６９）に挿入される。すなわち、ロック機構６０が、ＯＦＦ状態からＯＮ状態に切り替わる。
【００８６】
そして、前面パネル１１が完全に閉じられると、突起部１７の動きも停止する。このとき、図３に示すように、突起部１７は、ロック機構６０の回動レバー５３を押した状態で保持される。このように、前面パネル１１が閉状態のときには、前面パネル１１の突起部１７が回動レバー５３を介して左右のロック部材６１Ｒ・６１Ｌを押すことで、ロック機構６０のＯＮ状態が保持され、ダストボックス２２はフィルタ支持体２５に固定される。すなわち、前面パネル１１が閉状態のときには、前面パネル１１の突起部１７は、左右のロック部材６１Ｒ・６１Ｌを間接的に押している。そのため、フィルタ清掃装置２０の運転中にダストボックス２２の位置がずれることなどを抑えることができる。
【００８７】
以上のように、回動レバー５３は、突起部１７によって加えられる押圧力を、ロック部材６１Ｒ・６１Ｌへ伝達する伝達部材としての機能を果たす。
【００８８】
また、ダストボックス２２内にたまった塵埃を捨てる場合など、室内機１からダストボックス２２を取り外す際には、使用者は、先ず前面パネル１１を開ける。すると、前面パネル１１を開ける動作に連動して、前面パネル１１に設けられた突起部１７は、ロック機構６０の回動レバー５３から離れる。すなわち、回動レバー５３に加えられていた突起部１７からの押圧力がなくなる。
【００８９】
上述したように、コイルバネ６６は、ロックピン６２を内側に向かって付勢している。そのため、突起部１７によって回動レバー５３が押圧されていない状態では、各ロック部材６１Ｒ・６１Ｌのロックピン６２に対しては、コイルバネ６６から内側へ向かう力（例えば、図９（ｂ）の矢印Ｂ１方向の力）が働く。すなわち、各ロックピン６２は、内側へ動く。
【００９０】
このロックピン６２の動作に連動して、各ロック部材６１Ｒ・６１Ｌの枠部６４ａも、内側へ動く。すると、枠部６４ａ内に嵌まり込んでいる突起５５は、各ロック部材６１Ｒ・６１Ｌの連結部６４に形成された傾斜面６４ｂを滑るようにして、枠部６４ａ内の下方側へ移動する。すなわち、図９（ｂ）に示すように、回動レバー５３の左右両端部に設けられた突起５５は、矢印Ｂ２方向に動く。そして、この突起５５の動きに連動して、回動部５３ａは矢印Ｂ３方向へ回動する（図９（ａ）参照）。これにより、各ロックピン６２は、図８（ａ）（ｂ）に示す状態となり、各壁部２６・２７・２８の何れかの孔（例えば、孔６９）との係合が外れる。すなわち、ロック機構６０は、ＯＦＦ状態となる。
【００９１】
以上のように、本実施形態にかかる室内機１では、前面パネル１１を開ける動作を行うことで、ロック機構６０はＯＦＦ状態となり、室内機１に対するダストボックス２２の固定状態が解除される。
【００９２】
以上のように、本実施形態にかかる空気調和機の室内機１は、上記構成のロック機構６０を備えている。これにより、前面パネル１１の開閉動作を行うことで、ダストボックス２２のロック機構６０のＯＮ状態とＯＦＦ状態とを切り替えることができる。そのため、前面パネル１１を閉める動作を行いながら、ロック機構６０をＯＮ状態として、ダストボックス２２を室内機に対して支持固定することができる。また、前面パネル１１を開ける動作を行いながら、ロック機構６０をＯＦＦ状態として、ダストボックス２２を室内機から外した状態とすることができる。すなわち、ダストボックス２２を室内機１（より具体的には、フィルタ支持体２５）に対して固定させるための動作を、前面パネル１１の開閉動作と兼ねることができる。これにより、ダストボックス２２の取り付けおよび取り外し作業をより容易に行うことができる。
【００９３】
なお、本実施形態では、１つのダストボックス２２に対して、１つの突起部１７を用いてロック機構６０の切り替えを行っている。しかし、前面パネル１１の裏面側に設けられた突起部１７の個数は、この構成に限定はされない。複数個の突起部１７を用いてロック機構６０の切り替えを行ってもよい。
【００９４】
また、本実施形態の空気調和機には、前面パネル１１の開閉状態を検知するパネル開閉検知センサ、パネル開閉検知スイッチなどが設けられていることが好ましい。これにより、万一、前面パネル１１が完全に閉じた状態となっていない場合には、上記のセンサまたはスイッチがその旨を使用者に知らせることができる。そのため、ロック機構６０がＯＦＦ状態（本体部に完全に係止されていない状態）となったままで、空気調和機の運転が開始される可能性を抑えることができる。
【００９５】
また、本発明の一態様では、コイルバネが設けられていない構成も可能である。この場合、前面パネルを開ける動作時に、ロック機構は自動でＯＦＦ状態とはならない。そのため、使用者が手動でロック機構のロックを解除する。
【００９６】
また、本実施形態では、コイルバネを金属製のスプリングバネで構成しているが、本発明はこの構成に限定されない。例えば、金属製のスプリングバネの代わりに樹脂バネを用いることもできる。
【００９７】
〔第２の実施形態〕
本発明の第２の実施形態について、図１０から図１４を参照しながら説明する。第２の実施形態では、室内機の前面パネルの構成およびフィルタ清掃装置２０に備えられたダストボックスのロック機構の構成が、第１の実施形態とは異なっている。それ以外の構成については、第１の実施形態と同じ構成が適用できる。そこで、以下では、第２の実施形態にかかる室内機１００における前面パネル１１およびロック機構１６０の構成を中心に説明する。第１の実施形態と同じ構成が適用できる構成部材については、第１の実施形態と同じ符号を付し、その説明を省略する。
【００９８】
図１０には、第２の実施形態にかかる室内機１００に備えられている前面パネル１１１およびダストボックス１２２（１２２Ｒ・１２２Ｌ）の構成を示す。図１０では、室内機１００における前面パネル１１１およびダストボックス１２２以外の構成については図示を省略しているが、これらについては、第１の実施形態と同様の構成が適用できる。
【００９９】
＜室内機の全体構成＞
室内機１００は、主として、筐体１０、フィルタ清掃装置２０、フィルタ２１、空気調和ユニット３０（図３など参照）、および電装品ユニット（図示せず）を備えている。筐体１０以外の構成部材については、第１の実施形態と同様の構成が適用できるため、その説明を省略する。
【０１００】
筐体１０は、略直方体状の樹脂成形品である。筐体１０は、主として、前面パネル（表面パネル）１１１、本体パネル１２、および背面パネル１３で構成されている。
【０１０１】
前面パネル１１１は、筐体１０の前面（正面）に位置する。前面パネル１１１は、本体パネル１２に対して開閉可能に取り付けられている。前面パネル１１１の裏面には、突起部１１７が複数個設けられている。突起部１１７は、板状の部材で構成されており、上面から見た場合に、略台形状を有している（図１３など参照）。
【０１０２】
後述するように、突起部１１７は、前面パネル１１１が閉じられた状態のときに、ロック機構１６０のロックピン１６２を本体部（本実施形態では、フィルタ支持体２５の何れかの壁部）側へ押し出すための部材である。突起部１１７は、フィルタ清掃装置２０のダストボックス１２２（１２２Ｒ・１２２Ｌ）の前面カバー１５２に設けられた開口部１５３と対応する位置に配置されている。
【０１０３】
前面パネル１１１以外の構成部材については、第１の実施形態と同様の構成が適用できるため、その説明を省略する。第１の実施形態と同様に、筐体１０の内部には、フィルタ清掃装置２０、フィルタ２１、空気調和ユニット３０、および電装品ユニットなどが収容されている。
【０１０４】
＜フィルタ清掃装置について＞
フィルタ清掃装置２０は、主な構成部材として、ダストボックス１２２、ブラシ付きローラ２３、フィルタ駆動ローラ２４、およびフィルタ支持体２５を備えている。ダストボックス１２２以外の構成部材については、第１の実施形態と同様の構成が適用できるため、その説明を省略する。
【０１０５】
続いて、ダストボックス１２２の構成について説明する。図１１および図１２には、ダストボックス１２２単体の構成を示す。なお、図１１および図１２では、前面パネル１１１に設けられた突起部１１７も図示している。
【０１０６】
具体的には、図１１には、ロックが解除されている解除状態（すなわち、ダストボックス１２２をフィルタ支持体２５から取り外すときの状態）のときのロック機構１６０を示す。図１１では、前面パネル１１１の突起部１１７が前面カバー１５２の開口部１５３に嵌まり込む直前、または、前面パネル１１１の突起部１１７が前面カバー１５２の開口部１５３から外れた直後の状態を示す。また、図１２には、ダストボックス１２２が室内機１００（より具体的には、フィルタ支持体２５）に対して支持固定されている固定状態（ロック状態）のときのロック機構１６０を示す。図１２では、前面パネル１１１の突起部１１７が前面カバー１５２の開口部１５３に嵌まり込んでいる状態を示す。ここでは、前記固定状態のことを、ロック機構１６０がＯＮ状態であると称し、前記解除状態のことをロック機構１６０がＯＦＦ状態であると称する。
【０１０７】
また、図１３および図１４には、ダストボックス１２２の内部に備えられたロック機構１６０の構成を示す。なお、図１３は、図１１に示すダストボックス１２２のＣ−Ｃ線部分の構成を示す。また、図１４は、図１２に示すダストボックスのＤ−Ｄ線部分の構成を示す。
【０１０８】
ダストボックス２２は、主な構成部材として、本体部５１、前面カバー１５２、およびロック機構１６０などを備えている。本体部５１は、第１の実施形態と同様の構成が適用できる。
【０１０９】
前面カバー１５２は、ダストボックス１２２の前面側の上方部に取り付けられている。前面カバー１５２の裏側には、ロック機構１６０が配置されている。前面カバー１５２には、複数の開口部１５３（本実施形態では、１つのダストボックス１２２につき２個）が形成されている。開口部１５３は、前面パネル１１１が閉じられた状態のときに、前面パネル１１１に設けられた突起部１１７が嵌まり込むように、突起部１１７に対応する位置に形成されている。また、前面カバー１５２の上方には、左右方向の略中央部に把持用凹部１５２ａが形成されている。
【０１１０】
ロック機構１６０は、ダストボックス１２２を構成する本体部５１の上方部分であって、前面カバー１５２の背面側に配置されている。図１３に示すように、本実施形態では、ロック機構１６０は、右側のロック機構１６０Ｒと左側のロック機構１６０Ｌとを有している。右側のロック機構１６０Ｒは、主な構成部材として、ロック部材（係止部）１６１Ｒおよびコイルバネ１６６などを備えている。左側のロック機構１６０Ｌは、主な構成部材として、ロック部材（係止部）１６１Ｌおよびコイルバネ１６６などを備えている。
【０１１１】
ロック部材１６１Ｒ・１６１Ｌは、外側の先端部にロックピン１６２を有し、内側の先端部に傾斜面１６３を有している。コイルバネ１６６は、ロック部材１６１Ｒ・１６１Ｌの内部に配置されている。より具体的には、本実施の形態では、コイルバネ１６６は、ロック部材１６１Ｒ・１６１Ｌの傾斜面１６３側に設けられている。ただし、コイルバネ１６６の配置位置は、これに限定されない。コイルバネ１６６は、ロック部材１６１Ｒ・１６１Ｌの傾斜面１６３を、内側（前面カバー１５２の把持用凹部１５２ａが設けられている側）へ付勢している。
【０１１２】
そのため、突起部１１７によって傾斜面１６３が押圧されていない状態（すなわち、前面パネル１１１を開けている状態）では、各ロック部材１６１Ｒ・１６１Ｌに対しては、コイルバネ１６６から内側へ向かう力（例えば、図１３の矢印Ａ１方向の力）が働く。したがって、各ロック部材１６１Ｒ・１６１Ｌの外側端部に位置するロックピン１６２は、図１１および図１３に示す状態となり、各壁部２６・２７・２８の何れかの孔との係合が外れる。このとき、ロック機構１６０はＯＦＦ状態にある。
【０１１３】
また、使用者が、ダストボックス１２２を室内機１００に対して取り付けるときには、使用者は、前面パネル１１１を開状態とし、ダストボックス収容部２９の所定の位置にダストボックス１２２を載置する。このとき、使用者は、例えば、親指が本体部５１の凹み５１ａを把持し、人差し指および中指が把持用凹部１５２ａを把持しながら、ダストボックス収容部２９の所定の位置にはめ込むようにダストボックス１２２を載置する。この時使用者は、意図せずにダストボックス１２２の本体部５１の底面に形成された窪み（図示せず）が、ダストボックス収容部２９の底面板５４に設けられた爪部５４ｂに合致するように、ダストボックス２２の取り付けを行うことができる（図５参照）。
【０１１４】
使用者は、左右両側のダストボックス１２２Ｒ・１２２Ｌを室内機１００内の所定の位置に載置した後、前面パネル１１１を閉める動作を行う。このとき、前面パネル１１１の裏面に設けられた突起部１１７は、ダストボックス１２２の前面カバー１５２の対応する位置に設けられた開口部１５３に挿入される（図１４の矢印Ｂ１参照）。このとき、各突起部１１７の外側の傾斜部１１７ａは、ロック部材１６１Ｒ・１６１Ｌの傾斜面１６３と接触する。そして、突起部１１７は、ロック部材１６１Ｒ・１６１Ｌの傾斜面１６３を滑るようにして、開口部１５３の奥へ入り込む。
【０１１５】
このとき、突起部１１７からロック部材１６１Ｒ・１６１Ｌに対して働く押圧力は、コイルバネ１６６の付勢力よりも大きい。そのため、各ロック部材１６１Ｒ・１６１Ｌは、矢印Ｂ２方向へ動く。そして、各ロック部材１６１Ｒ・１６１Ｌのロックピン１６２は、各壁部２６・２７・２８の何れかの孔（例えば、孔６９）に挿入される。すなわち、ロック機構１６０が、ＯＦＦ状態からＯＮ状態に切り替わる。
【０１１６】
そして、前面パネル１１１が完全に閉じられると、突起部１１７の動きも停止する。このとき、図１４に示すように、突起部１１７は、ロック機構１６０のロック部材１６１Ｒ・１６１Ｌを押した状態で保持される。このように、前面パネル１１１が閉状態のときには、前面パネル１１１の突起部１１７がロック部材１６１Ｒ・１６１Ｌを押すことで、ロック機構１６０のＯＮ状態が保持され、ダストボックス１２２はフィルタ支持体２５に固定される。そのため、フィルタ清掃装置２０の運転中にダストボックス１２２の位置がずれることなどを抑えることができる。
【０１１７】
また、ダストボックス１２２内にたまった塵埃を捨てる場合など、室内機１００からダストボックス１２２を取り外す際には、使用者は、先ず前面パネル１１１を開ける。すると、前面パネル１１１を開ける動作に連動して、前面パネル１１１に設けられた突起部１１７は、前面カバー１５２の開口部１５３から外れる。これにより、ロック部材１６１Ｒ・１６１Ｌに加えられていた突起部１１７からの押圧力がなくなる。
【０１１８】
上述したように、コイルバネ１６６は、ロック部材１６１Ｒ・１６１Ｌを内側に向かって付勢している。そのため、突起部１１７によってロック部材１６１Ｒ・１６１Ｌが押圧されていない状態では、各ロック部材１６１Ｒ・１６１Ｌのロックピン１６２に対しては、コイルバネ１６６から内側へ向かう力（例えば、図１３の矢印Ａ１方向の力）が働く。すなわち、各ロックピン１６２は、内側へ動く。これにより、各ロックピン１６２は、図１３に示す状態となり、各壁部２６・２７・２８の何れかの孔との係合が外れる。すなわち、ロック機構１６０は、ＯＦＦ状態となる。
【０１１９】
以上のように、本実施形態にかかる室内機１００では、前面パネル１１１の開閉動作に連動させて、ロック機構１６０のＯＮ／ＯＦＦを切り替えることができる。すなわち、ダストボックス１２２を室内機１００（より具体的には、フィルタ支持体２５）に対して固定させるための動作を、前面パネル１１１の開閉動作と兼ねることができる。これにより、ダストボックス１２２の取り付けおよび取り外し作業をより容易に行うことができる。
【０１２０】
〔第３の実施形態〕
本発明の第３の実施形態について、図１５および図１６を参照しながら説明する。第３の実施形態では、フィルタ清掃装置２２０に備えられたダストボックスのロック機構の構成が、第２の実施形態とは異なっている。それ以外の構成については、第２の実施形態と同じ構成が適用できる。そこで、以下では、第３の実施形態にかかる室内機１００におけるロック機構２６０の構成を中心に説明する。
【０１２１】
図１５には、第３の実施形態にかかる室内機１００に備えられているフィルタ清掃装置２２０のダストボックス２２２を示す。なお、図１５では、前面パネル１１１に設けられた突起部２１７も図示している。第２の実施形態と同様に、第３の実施形態にかかる室内機１００においても、前面パネル１１１の裏面には、突起部２１７が複数個設けられている。突起部２１７は、ダストボックス２２２の前面に形成された開口部２５３と対応する位置に配置されている。
【０１２２】
図１５に示すように、ダストボックス２２２の上方には、左右両側の端部付近にロック機構２６０がそれぞれ備えられている。ロック機構２６０は、ダストボックス２２２を室内機１００に対して固定させるための機構である。本実施形態では、ロック機構２６０は、フィルタ支持体２５に対してダストボックス２２２を固定させる。
【０１２３】
ロック機構２６０は、主な構成部材として、ロック部材（係止部）２６２を備えている。ロック部材２６２は、上下方向に動作可能に配置されている。そして、ロック部材２６２が上方に位置するときには、ダストボックス２２２の上面に形成された第２の開口部２２３からその先端部が突出する。ロック機構２６０がＯＮ状態のときには、ロック部材２６２の先端は、第２の開口部２２３から突出し、室内機１００の本体部（例えば、フィルタ支持体２５）側に設けられた係合用の孔に嵌まり込む。これにより、ダストボックス２２２は、室内機１００に固定される。図１５に示すロック機構２６０は、ＯＮ状態の場合である。
【０１２４】
続いて、図１６（ａ）（ｂ）を参照しながら、前面パネル１１１の開閉動作とロック機構２６０のＯＮ／ＯＦＦ動作との関係を説明する。図１６（ａ）は、ロックが解除されている解除状態のときのロック機構２６０を示す。また、図１６（ｂ）には、ダストボックス１２２が室内機１００に対して支持固定されている固定状態のときのロック機構２６０を示す。ここでは、前記固定状態のことを、ロック機構２６０がＯＮ状態であると称し、前記解除状態のことをロック機構２６０がＯＦＦ状態であると称する。
【０１２５】
使用者が、ダストボックス２２２を室内機１００に対して取り付けるときには、使用者は、前面パネル１１１を開状態とし、ダストボックス収容部２９の所定の位置にダストボックス１２２を載置する。その後、使用者は、前面パネル１１１を閉める動作を行う。このとき、前面パネル１１１の裏面に設けられた突起部２１７は、ダストボックス２２２の対応する位置に設けられた開口部２５３に挿入される（図１６（ａ）の矢印Ａ１参照）。
【０１２６】
突起部２１７が開口部２５３に挿入されると、突起部２１７の上面の傾斜部２１７ａは、ロック部材２６２の下側の傾斜面２６２ａと接触する。そして、突起部２１７は、ロック部材２６２の傾斜面２６３を滑るようにして、開口部２５３の奥へ入り込む。このとき、ロック部材２６２は上方へ押し上げられる（図１６（ｂ）の矢印Ａ２参照）。
【０１２７】
これにより、ロック部材２６２の上側の先端部は、第２の開口部２２３から突出する。そして、各ロック部材２６２は、室内機１００の本体部（例えば、フィルタ支持体２５）側に設けられた係合用の孔に嵌まり込む。すなわち、ロック機構２６０が、ＯＦＦ状態からＯＮ状態に切り替わる。
【０１２８】
そして、前面パネル１１１が完全に閉じられると、突起部２１７の動きも停止する。このとき、図１６（ｂ）に示すように、突起部２１７は、ロック機構２６０のロック部材２６２を押し上げた状態で保持される。このように、前面パネル１１１が閉状態のときには、前面パネル１１１の突起部２１７がロック部材２６２を押し上げることで、ロック機構２６０のＯＮ状態が保持され、ダストボックス２２２はフィルタ支持体２５に固定される。そのため、フィルタ清掃装置２２０の運転中にダストボックス２２２の位置がずれることなどを抑えることができる。
【０１２９】
また、ダストボックス２２２内にたまった塵埃を捨てる場合など、室内機１００からダストボックス２２２を取り外す際には、使用者は、先ず前面パネル１１１を開ける。すると、前面パネル１１１を開ける動作に連動して、前面パネル１１１に設けられた突起部２１７は、ダストボックス２２２の開口部２５３から外れる。このとき、ロック部材２６２は、自重により下方へ落ちる。これにより、各ロック部材２６２は、図１６（ａ）に示す状態となり、本体側の係合用の孔との係合が外れる。すなわち、ロック機構２６０は、ＯＦＦ状態となる。
【０１３０】
以上のように、本実施形態にかかる室内機１００では、前面パネル１１１の開閉動作に連動させて、ロック機構２６０のＯＮ／ＯＦＦを切り替えることができる。すなわち、ダストボックス２２２を室内機１００（より具体的には、フィルタ支持体２５）に対して固定させるための動作を、前面パネル１１１の開閉動作と兼ねることができる。これにより、ダストボックス２２２の取り付けおよび取り外し作業をより容易に行うことができる。
【０１３１】
また、本実施形態にかかるロック機構２６０では、前面パネル１１１を閉めたときに、ロック部材２６２をダストボックス２２２から上方へ突出させることで、ダストボックス２２２を本体側と係合させて、ロック機構２６０をＯＮ状態とする。そして、前面パネル１１１を開けるときには、突起部２１７が開口部２５３から外に出ることで、ロック部材２６２を自重で下方に移動させて、ロック機構２６０をＯＮ状態からＯＦＦ状態に切り替えることができる。したがって、コイルバネなどの付勢部材を設ける必要がない。
【０１３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【０１３３】
例えば、本発明の他の実施形態では、回動レバー５３（図６参照）に力が掛かっていない場合は、回動レバー５３が自重で下側に向けて回動するような構成とすることができる。この構成は、例えば、回動レバー５３の重心を下方に位置させることが実現できる。この構成により、回転レバー５３に何も力を加えない状態（例えば、突起部１７が回転レバーを押圧しない場合）は、回動レバーが自重により下側に回動するため、ロック機構は、ＯＦＦ状態となる。また、突起部１７が回転レバー５３を押圧すると、回転レバー５３が上側に向けて回動し、ロック機構は、ＯＮ状態となる。なお、より回転しやすくするために、回転レバー５３におもりを内蔵させておいてもよい。
【符号の説明】
【０１３４】
１        ：（空気調和機の）室内機（本体部）
１１      ：前面パネル（表面パネル）
１７      ：突起部
２０      ：フィルタ清掃装置
２１      ：フィルタ
２２      ：ダストボックス（埃集積部）
５３      ：回動レバー（伝達部材）
６０      ：ロック機構
６１Ｒ    ：ロック部材（係止部）
６１Ｌ    ：ロック部材（係止部）
１００    ：（空気調和機の）室内機（本体部）
１１７    ：突起部
１２２    ：ダストボックス（埃集積部）
１６０    ：ロック機構
１６１Ｒ  ：ロック部材（係止部）
１６１Ｌ  ：ロック部材（係止部）
２１７    ：突起部
２２０    ：フィルタ清掃装置
２２２    ：ダストボックス（埃集積部）
２６２    ：ロック部材（係止部）
【図１】
2018025330.tif 000003
【図２】
2018025330.tif 000004
【図３】
2018025330.tif 000005
【図４】
2018025330.tif 000006
【図５】
2018025330.tif 000007
【図６】
2018025330.tif 000008
【図７】
2018025330.tif 000009
【図８】
2018025330.tif 000010
【図９】
2018025330.tif 000011
【図１０】
2018025330.tif 000012
【図１１】
2018025330.tif 000013
【図１２】
2018025330.tif 000014
【図１３】
2018025330.tif 000015
【図１４】
2018025330.tif 000016
【図１５】
2018025330.tif 000017
【図１６】
2018025330.tif 000018